(57)【要約】【課題】出力光の相関色温度を平均演色評価数（Ｒａ）を低下させずに連続的に変化させることができる発光ダイオード照明装置を提供する。【解決手段】基板に配設された発光ダイオードチップ５ａ，５ａ，…と；ガラス板２およびこのガラス板に形成された複数の蛍光体膜３ａ〜３ｃを有してなり、前記基板に対向配置された蛍光体膜形成板４と；蛍光体膜に発光ダイオードチップが光学的に対向する位置になるように蛍光体膜形成板４と基板の少なくとも一方を相対的に移動させるマイクロリニアアクチュエータ８，１０と；を具備している。【選択図】  図１
2008300117.tif 000002
【特許請求の範囲】
【請求項１】
基板に配設された発光ダイオードチップと；
透明板およびこの透明板に形成された複数の蛍光体膜を有してなり、前記基板に対向配置された蛍光体膜形成板と；
前記蛍光体膜に発光ダイオードチップが光学的に対向する位置になるように蛍光体膜形成板と基板の少なくとも一方を相対的に移動させる移動装置と；
を具備していることを特徴とする発光ダイオード照明装置。
【請求項２】
発光ダイオードチップの発光は、青色光または紫外線であり、
蛍光体膜形成板は、所要幅帯状の黄色発光蛍光体膜と、この黄色発光蛍光体膜と光出力の異なる所要幅帯状の第２の黄色発光蛍光体膜と、黄色発光蛍光体に赤色発光蛍光体を混合してなる所要幅帯状の赤混合黄色発光蛍光体膜とを、複数の発光ダイオードチップの列状配列にほぼ平行に並設していることを特徴とする請求項１記載の発光ダイオード照明装置。
【請求項３】
発光ダイオードチップの発光は、青色光または紫外線であり、
蛍光体膜形成板は、矩形の黄色発光蛍光体膜と、この黄色発光蛍光体膜と光出力の異なる第２の矩形の黄色発光蛍光体膜と、黄色発光蛍光体に赤色発光蛍光体を混合してなる矩形の赤混合黄色発光蛍光体膜とを、各発光ダイオードチップ毎にマトリクス状に配設していることを特徴とする請求項１記載の発光ダイオード照明装置。
【請求項４】
蛍光体膜は、基板に対向する透明板の対向面に形成されていることを特徴とする請求項１ないし３のいずれか一記載の発光ダイオード照明装置。
【発明の詳細な説明】
【技術分野】
【０００１】
本発明は発光ダイオード照明装置に関する。
【背景技術】
【０００２】
従来、単色発光の１以上の単色発光ダイオードと、白色発光の１以上の白色発光ダイオードとを、これら各発光ダイオードに印加する矩形波パルスのデューティ比を、単色発光ダイオードの発光を制御する第１の電源と、白色発光ダイオードの発光を制御する第２の電源とにより別々に制御することにより、単色発光ダイオードと白色発光ダイオードの光出力の比を制御して相関色温度を変化させる技術が知られている（例えば、特許文献１参照）。
【特許文献１】特開２００５−１００７９９号公報
【発明の開示】
【発明が解決しようとする課題】
【０００３】
しかしながら、この可変色発光ダイオード照明器具では、単色発光ダイオードと白色発光ダイオードにそれぞれ印加する矩形波パルスのデューティ比をそれぞれ制御することで相関色温度を変えているので、これら１種類の発光ダイオードチップの放射光の相関色温度を、平均演色評価数（Ｒａ）を低下させずに連続的に変化させることができない、という課題がある。
【０００４】
また、発光素子として単色発光の単色発光ダイオードと白色発光の白色発光ダイオードの２種類を使用しているので、発光ダイオードの在庫管理が面倒となる課題もある。
【０００５】
本発明はこのような事情を考慮してなされたもので、その目的は、出力光の相関色温度を平均演色評価数（Ｒａ）を低下させずに連続的に変化させることができる発光ダイオード照明装置を提供する。
【課題を解決するための手段】
【０００６】
請求項１に係る発光ダイオード照明装置は、基板に配設された発光ダイオードチップと；透明板およびこの透明板に形成された複数の蛍光体膜を有してなり、前記基板に対向配置された蛍光体膜形成板と；前記蛍光体膜に発光ダイオードチップが光学的に対向する位置になるように蛍光体膜形成板と基板の少なくとも一方を相対的に移動させる移動装置と；を具備していることを特徴とする。
【０００７】
請求項２に係る発光ダイオード照明装置は、発光ダイオードチップの発光は、青色光または紫外線であり、蛍光体膜形成板は、所要幅帯状の黄色発光蛍光体膜と、この黄色発光蛍光体膜と光出力の異なる所要幅帯状の第２の黄色発光蛍光体膜と、黄色発光蛍光体に赤色発光蛍光体を混合してなる所要幅帯状の赤混合黄色発光蛍光体膜とを、複数の発光ダイオードチップの列状配列にほぼ平行に並設していることを特徴とする。
【０００８】
請求項３に係る発光ダイオード照明装置は、発光ダイオードチップの発光は、青色光または紫外線であり、蛍光体膜形成板は、矩形の黄色発光蛍光体膜と、この黄色発光蛍光体膜と光出力の異なる第２の矩形の黄色発光蛍光体膜と、黄色発光蛍光体に赤色発光蛍光体を混合してなる矩形の赤混合黄色発光蛍光体膜とを、各発光ダイオードチップ毎にマトリクス状に配設していることを特徴とする。
【０００９】
請求項４に係る発光ダイオード照明装置は、蛍光体膜は、基板に対向する透明板の対向面に形成されていることを特徴とする。
【発明の効果】
【００１０】
請求項１に係る発光ダイオード照明装置によれば、発光ダイオードチップの放射光をそのまま出力光として放射させずに、この発光ダイオードチップの放射光を、発光色を異にした複数の蛍光体膜により所要の光色に一旦変換してから出力光として放射させるので、これら複数の蛍光体膜を、その発光色の相関色温度が連続的に変化するように予め構成しておき、移動装置により蛍光体膜形成板と基板の一方を相対的に移動させて、発光ダイオードチップからの放射光により励起される蛍光体膜を順次選択させることにより、これら蛍光体膜から放射される出力光の相関色温度を連続的に変化させることができる。
【００１１】
また、これら複数の蛍光体膜を、その発光色の平均演色評価数（Ｒａ）がそれぞれ変化しないように予め構成しておくことにより、蛍光体膜毎に平均演色評価数（Ｒａ）が変化するのを防止または抑制することができる。
【００１２】
請求項２に係る発光ダイオード照明装置によれば、移動装置により蛍光体膜形成板と基板の一方を相対的に移動させることにより、発光ダイオードチップの放射光により励起される蛍光体膜として黄色発光蛍光体膜が選択されたときは、その黄色蛍光体が発光ダイオードチップの青色光または紫外線により励起されて黄色光に発光する。さらに、この黄色光は発光ダイオードチップの青色光または紫外線と混合されて白色光または若干黄味を帯びた白色光として出力される。
【００１３】
また、第２の黄色発光蛍光体膜として前記黄色発光蛍光体膜よりも膜厚の異なる薄肉黄色発光蛍光体膜が選択されたときは、この薄肉黄色発光蛍光体においても、発光ダイオードチップの青色光または紫外線により励起されて黄色光が発光し、青色光等と合成されて白色光として出力される。しかし、この薄肉黄色発光蛍光体膜は黄色発光蛍光体膜よりも膜厚が薄いので、その分、黄色光の光量が減少する。このために、出力光は若干青味を帯びた白色光となる。または黄色蛍光体の量が少ない場合においても上記のような効果がある。
【００１４】
さらに、赤混合黄色蛍光体膜形成板が選択されたときは、これが発光ダイオードチップの青色光または紫外線により励起されて赤色を帯びた黄色光が発光し、これが発光ダイオードチップの青色光または紫外線に混合されるので、若干赤味を帯びた白色光、すなわち、電球色が出力される。
【００１５】
このように本発明によれば、複数の蛍光体膜を順次選択的に発光させることにより、白色光または若干黄色味を帯びた白色光から青味を帯びた白色光、若干赤味を帯びた白色光（電球色）まで、白色光の相関色温度を連続的に変化させることができる。
【００１６】
請求項３に係る発明によれば、請求項２に係る発明と同様に、移動装置により蛍光体膜形成板と基板の一方を相対的に移動させることにより、発光ダイオードチップの放射光により励起される蛍光体膜として、黄色蛍光体膜形成板、薄肉黄色蛍光体膜、赤混合黄色蛍光体膜形成板のいずれかを適宜選択することができる。
【００１７】
これにより、白色光または若干黄色味を帯びた白色光から若干青味を帯びた白色光、若干赤味を帯びた白色光まで相関色温度を連続的に変化させることができる。
【００１８】
請求項４に係る発明によれば、基板に対向する透明板の対向面、すなわち、内面に蛍光体膜を形成しているので、この蛍光体膜を透明板の外面により保護することができる。
【００１９】
また、蛍光体膜は、透明板本体を介さずに直接発光ダイオード子チップに対向し、かつ発光ダイオードチップとの間隔も短くなるので、その分、蛍光体膜の発光量を増大させることができ、発光効率を向上させることができる。
【発明を実施するための最良の形態】
【００２０】
以下、本発明の実施形態を添付図面に基づいて説明する。なお、複数の添付図面中、同一または相当部分には同一符号を付している。
【００２１】
図１は本発明の一実施形態に係る発光ダイオード照明装置１の平面図、図２は図１のＩＩ−ＩＩ線に沿う切断部の端面図、図３は図２のＩＩＩ部拡大図である。
【００２２】
図１，図２に示すように発光ダイオード照明装置１は、透明板の一例であるガラス板２に蛍光体膜３を形成した蛍光体膜形成板４、複数の発光ダイオード装置５を実装した基板６、移動装置７を具備している。
【００２３】
図１に示すように蛍光体膜形成板４は、図１中横方向に長い長方形の透明ガラス板２の内面（図２では下面）に、複数の発光ダイオード装置５，５，…の１本の縦列の側方において、例えば３種類の蛍光体膜３を３本の縦列３ａ，３ｂ，３ｃによりガラス板２の長手方向に並設している。
【００２４】
蛍光体膜３は、発光ダイオード装置５に近い側から、例えば所定の幅と長さの帯状の黄色蛍光体膜３ａ、同，帯状の薄肉黄色蛍光体膜３ｂ、同，帯状の赤混合黄色蛍光体膜３ｃをこの順に順次並設している。
【００２５】
これら各蛍光体膜３ａ〜３ｃは、その帯状の幅と長さを相互にほぼ等しく形成し、これら幅を各発光ダイオード装置５の幅とほぼ等しく形成している。また、これら蛍光体膜３ａ〜３ｃの長さは、ガラス板２の短手方向（図１では縦方向）に所定の等ピッチで配設された複数の発光ダイオード装置５，５，…の縦列方向の長さにほぼ等しく形成されている。
【００２６】
黄色蛍光体膜３ａは、発光ダイオード装置５の青色（または紫外線）発光により黄色に発光するＹＡＧ蛍光体等の黄色蛍光体を所定の幅、長さ、膜厚で帯状に形成することにより構成されている。
【００２７】
薄肉黄色蛍光体膜３ｂは、その膜厚を黄色蛍光体膜３ａよりも薄く形成している。赤混合黄色蛍光体膜３ｃは、発光ダイオード装置５の青色発光により赤色に発光する赤色蛍光体を、上記黄色蛍光体に所定量含有させることにより構成されている。
【００２８】
これら３種類の蛍光体膜３ａ〜３ｃは、これら蛍光体膜３ａ〜３ｃが発光ダイオード装置５からの青色光により励起されて発光する発光色の演色評価数（Ｒａ）が変化することなく、相関色温度が連続的に変化するように予め構成されている。
【００２９】
蛍光体膜３は、これら３種類の蛍光体膜３ａ〜３ｃを１組として、発光ダイオード装置５の複数の縦列数に応じて複数組をガラス板２の長手方向（図１では横方向）へ所定の等ピッチで並設している。また、ガラス板２には、これら各組の蛍光体膜３ａ〜３ｃ同士の間と図１中左端部には、蛍光体膜を形成しない所定の幅と長さの帯状透明部２ａを各組の蛍光体膜３に並設している。
【００３０】
そして、図１に示すように、移動装置７は、ガラス板２の例えば図中上端部に、上マイクロリニアアクチュエータ８をほぼ平行に並設し、その可動部８ａをジョイント９を介して固着し、ガラス板２の下端部に、下マイクロリニアアクチュエータ１０をほぼ平行に並設し、その可動部１０ａをジョイント１１を介して固着している。
【００３１】
これら上下一対のマイクロリニアアクチュエータ８，１０は、例えばＰＺＴ等の圧電素子であって、ほぼ薄肉円板状の駆動部８ｂ，１０ｂ、この駆動部８ｂ，１０ｂの一面のほぼ中央部にほぼ垂直に起立させて固着された例えば細い円柱状の軸８ｃ，１０ｃ、これら軸８ｃ，１０ｃに軸方向往復動可能かつその静止位置に保持可能に嵌合した例えばナット状の可動部８ａ，１０ａを具備している。各軸８ｃ，１０ｃはガラス板２の上辺と下辺にそれぞれ平行に並設されている。
【００３２】
また、各軸８ｃ，１０ｃの先端はゴム等からなる防振部８ｄ，１０ｄを介してコ字状の上，下ストッパ１２，１３の嵌合凹部内にそれぞれ嵌合されている。これら上，下ストッパ１２，１３は発光ダイオード照明装置１の図示しない本体ケース内面や、この本体ケース内面に固定された図示しない固定部材に固着されている。
【００３３】
各駆動部８ｂ，１０ｂは信号線Ｌ，Ｌ，…をそれぞれ介して制御部の一例である図示しない制御装置に電気的に接続されている。この制御装置は、所定の駆動周波数と駆動電圧の制御用パルス信号を各駆動部８ｂ，１０ｂに個別に与えることにより、各駆動部８ｂ，１０ｂに所定周波数の超音波振動を発生させて、各軸８ｃ，１０ｃに与える。これにより、これら軸８ｃ，１０ｃにナット状に嵌合している各可動部８ａ，１０ａがそれぞれ軸方向に往動または復動する。往動または復動の移動方向と、その移動距離は、駆動部８ｂ，１０ｂに与えられるパルス波形やパルス列、パルス数により制御され、ガラス板２の長手方向（Ｘ方向）に高速で往復運動し、任意の位置に静止できるようになっている。各可動部８ａ，１０ａは静止時に、その静止位置で各軸８ｃ，１０ｃ上にて強固に保持される。
【００３４】
これらのマイクロリニアアクチュエータ８，１０は、例えば携帯電話機用カメラのオートフォーカス装置やズーム装置、スタビライザー等のアクチュエータとして使用されるものであり、例えばテクノハンズ（株）のＴＵＬＡ５０（商品名）を使用することができる。このＴＵＬＡ５０は、駆動部８ｂ，１０ｂの直径が６ｍｍ、厚さ０．５ｍｍ、軸８ｃ，１０ｃの長さ１６．５ｍｍ、駆動周波数４０〜８０ＫＨｚ、駆動電圧１０〜３０Ｖ、推力１０〜４５ｇｆ、ストローク３〜２０ｍｍ、最大移動速度３５ｍｍ／ｓである。
【００３５】
図１に示すように、発光ダイオード装置５は、長方形のガラス板２とほぼ同形同大の基板６上に、ガラス板２の各透明部２ａに対向する部分において、図１中縦方向に所要の等ピッチで同心状に配設されている。
【００３６】
図３に示すように、基板６は放熱性と剛性を有するアルミニウム（Ａｌ）やニッケル（Ｎｉ）等により形成され、その一面（図２，図３では上面）上に、電気絶縁性を有する白色のガラスエポキシ樹脂等の電気絶縁層６ａを形成している。
【００３７】
さらに、この電気絶縁層６ａ上には、銅（Ｃｕ）とニッケル（Ｎｉ）の合金やこの合金の金（Ａｕ）めっき等により陰極（−）側と陽極（＋）側の一対の回路パターン（配線パターン）７ａ，７ｂを形成しており、これら回路パターン７ａ，７ｂには、電気絶縁層４ａ上に固定された、例えば青色発光（または紫外線発光）の発光ダイオードベアチップ５ａの陽極と陰極の電極がボンディングワイヤ５ｂにより電気的に接続されている。
【００３８】
そして、各発光ダイオードベアチップ５ａ上には、透光性を有するシリコン樹脂を所定幅で同心状に積層して透光性樹脂部５ｃを形成し、この透光性樹脂部５ｃにより、発光ダイオードベアチップ５ａを基板６上に固定している。この透光性樹脂部５ｃの幅方向両側には、その両側外面を縁取るように反射部としての左右一対の側壁５ｄ，５ｄを白色樹脂等により基板６上に形成している。
【００３９】
これら一対の側壁５ｄ，５ｄは、その対向面（内側面）に、ガラス板２側に向けて漸次拡開する傾斜面Ｓを形成しており、この傾斜面Ｓを、ここに入射された光をガラス板２側へ反射させる反射面に形成している。
【００４０】
次に、この発光ダイオード照明装置１の作用について説明する。
【００４１】
まず、図示しない点灯装置から回路パターン７ａ，７ｂを介して各発光ダイオードベアチップ５ａに所要の直流（ＤＣ）電圧が印加されると、各発光ダイオードベアチップ５ａが青色に発光する。これら青色発光は、透光性樹脂部５ｃをそれぞれ透過して蛍光体膜形成板４に放射される。
【００４２】
このとき、発光ダイオード装置５の各縦列上に、蛍光体膜形成板４の透明部２ａがほぼ同心状に位置しているときは、各発光ダイオード装置５からの青色光は透明部２ａを透過してそのまま外部に放射される。
【００４３】
しかし、上下一対のマイクロリニアアクチュエータ８，１０の各駆動部８ｂ，１０ｂに印加された駆動パルスにより、その可動部８ａ，１０ａが各軸８ｃ，１０ｃを同一方向と同一距離移動し、発光ダイオード装置５の各縦列上に、蛍光体膜形成板４の黄色蛍光体膜３ａ上に同心状に移動し、その位置に保持されると、各発光ダイオード装置５からの青色光が各黄色蛍光体膜３ａ内に入射される。このために、各黄色蛍光体膜３ａは青色光により励起されて黄色光が発光される。
【００４４】
さらに、この黄色発光は青色発光と混合合成されて白色光として外部に出力される。
【００４５】
また、上下一対のマイクロリニアアクチュエータ８，１０の可動部８ａ，１０ａにより、発光ダイオード装置５の各縦列上に、蛍光体膜形成板４の薄肉黄色蛍光体膜３ｂが移動し、同心状に保持されると、各発光ダイオード装置５からの青色光が各薄肉黄色蛍光体膜３ｂ内に入射され、ここで、黄色蛍光体膜３ａと同様に黄色光が発光される。
【００４６】
しかし、薄肉黄色蛍光体膜３ｂは、その膜厚が黄色蛍光体膜３ａの膜厚よりも薄いので、その分、黄色発光量も減少する。このために、薄肉黄色蛍光体膜３ｂからは若干青味を帯びた白色光が外部へ放射される。
【００４７】
さらに、上下一対のマイクロリニアアクチュエータ８，１０により蛍光体膜形成板４がその長手方向（Ｘ方向）に移動し、発光ダイオード装置５の各縦列上に、蛍光体膜形成板４の赤混合黄色蛍光体膜３ｃがほぼ同心状に位置すると、各発光ダイオード装置５からの青色光が赤混合黄色蛍光体膜３ｃ内に入射され、ここで、若干赤味を帯びた黄色光が発光し、青色光と合成される。
【００４８】
このために、赤混合黄色蛍光体膜３ｃからは、若干赤味を帯びた白色光、つまり電球色が外部へ放射される。
【００４９】
したがって、この発光ダイオード照明装置１によれば、複数の蛍光体膜３ａ〜３ｃを、その発光色の相関色温度が連続的に変化するように予め構成してあるので、これら蛍光体膜３ａ〜３ｃから放射される出力光の相関色温度を連続的に変化させることができる。
【００５０】
また、これら複数の蛍光体膜３ａ〜３ｃを、その発光色の平均演色評価数（Ｒａ）がそれぞれ変化しないように予め構成しておくことにより、平均演色評価数（Ｒａ）の変化も防止または抑制することができる。
【００５１】
また、これら蛍光体膜３ａ〜３ｃが、発光ダイオードチップの放射光により励起されて黄色に発光する黄色発光蛍光体膜３ａと、これよりも膜厚が薄い薄肉黄色発光蛍光体膜３ｂと、若干赤味を帯びた白色光（電球色）を放射する赤混合黄色蛍光体膜３ｃよりなるので、白色光から若干青味を帯びた白色光を経て、電球色まで相関色温度を連続的に変化させることができる。
【００５２】
図４は本発明の第２の実施形態に係る発光ダイオード照明装置１Ａの一部切欠平面図、図５は図４のＶ−Ｖ線に沿う切断部の一部切欠端面図である。
【００５３】
図４に示すように発光ダイオード照明装置１Ａは、上記図１，図２で示す発光ダイオード照明装置１において、蛍光体膜形成板４の３種類の各帯状蛍光体膜３ａ〜３ｃを、各発光ダイオード装置５の平面形状とほぼ同形同大の矩形の蛍光体膜３ａ１，３ｂ１，３ｃ１に形成すると共に、各発光ダイオード装置５が対応する透明部２ａ１の位置回りにマトリクス状に配設し、さらに、蛍光体膜形成板４を、その長手方向（Ｘ方向）と短手方向（Ｙ方向）に共に往復動し得るように移動装置７Ａを構成した点に主な特徴を有する。
【００５４】
すなわち、図４に示すように蛍光体膜形成板４は、各発光ダイオード装置５が垂直方向にガラス板２に投影される矩形の対応位置を透明部２ａ１に形成し、これら各透明部２ａ１の図４中右側に、矩形の黄色蛍光体膜３ａ１をそれぞれ配設し、この黄色蛍光体膜３ａ１の図中下方に、薄肉黄色蛍光体膜３ｂ１を配設し、さらに、この薄肉黄色蛍光体膜３ｂ１の図中左横に、赤混合黄色蛍光体膜３ｃ１をそれぞれ配設している。これら蛍光体膜３ａ１〜３ｃ１は、そのマトリクス配列の１セルをそれぞれ構成している。
【００５５】
そして、移動装置７Ａは、図１で示すＸ方向移動用の上下一対のマイクロリニアアクチュエータ８，１０の各ストッパ１２，１３を、摺動可能の上下一対の大形ストッパ１２Ａ，１３Ａにそれぞれ置換すると共に、Ｙ方向駆動用の左右一対のマイクロリニアアクチュエータ１４，１５および左右一対の大形ストッパ１６，１７を新たに設けた点に特徴がある。
【００５６】
すなわち、上下一対の大形ストッパ１２Ａ，１３Ａは、上下一対のマイクロリニアアクチュエータ８，１０の防振部８ｄ，１０ｄをＸ方向両端側でＸ軸方向にそれぞれ支持すると共に、Ｙ軸方向には上下方向に１セルずつ摺動可能に支持するように構成している。またＹ軸方向両端部には防振部８ｄ，１０ｄのＹ方向の摺動範囲を図中左右１セルずつに規制するためのストッパ突部Ｓｔ，Ｓｔをそれぞれ形成している。
【００５７】
そして、新たに左右一対のマイクロリニアアクチュエータ１４，１５を蛍光体膜形成板４の左右両側端部にそれぞれ配設している。これらマイクロリニアアクチュエータ１４，１５も上下一対のマイクロリニアアクチュエータ８，１０と同様に構成されており、大形のストッパ１６，１７を設けている。
【００５８】
すなわち、左右一対のマイクロリニアアクチュエータ１４，１５は、ＰＺＴよりなる駆動部１４ｂ，１５ｂ、可動部１４ａ，１５ａ、軸部１４ｃ，１５ｃ、防振部１４ｄ，１５ｄをそれぞれ有し、左側の可動部１４ａをジョイント１８を介して蛍光体膜形成板４の左側端に固着し、右側の可動部１５ａをジョイント１９を介して蛍光体膜形成板４の右側端に固着している。
【００５９】
そして、これら左右一対のマイクロリニアアクチュエータ１４，１５には、その各信号線Ｌ，Ｌを介して上記制御装置を電気的に接続しており、この制御装置から蛍光体膜形成板４をＹ方向に駆動するための同一の駆動用パルスが与えられるようになっている。
【００６０】
また、図４中左右一対の大形ストッパ１６，１７は、左右一対のマイクロリニアアクチュエータ１４，１５の防振部１４ｄ，１５ｄを、蛍光体膜形成板４のＹ方向両端側で支持する一方、Ｘ方向には左右に１セルずつ摺動可能に支持し得るように構成されている。
【００６１】
したがって、上下左右、各一対のマイクロリニアアクチュエータ８，１０，１４，１５の各可動部８ａ，１０ａ，１４ａ，１５ａの駆動により、蛍光体膜形成板４を、各発光ダイオード装置５の対応位置にある透明部２ａ１には、例えば黄色蛍光体膜３ａ１→薄肉黄色蛍光体膜３ｂ１→赤混合黄色蛍光体膜３ｃ１→対応位置２ａ１の順に、またはその逆に繰り返し移動させることができる。
【００６２】
このために、各発光ダイオード装置５からの青色光を、各黄色蛍光体膜３ａ１による白色光から、各薄肉黄色蛍光体膜３ｂ１による若干青味を帯びた白色光を経て、若干赤味を帯びた白色光へ順次、またはその逆に、出力光の平均演色評価数Ｒａを変化させずに、相関色温度を連続的に一斉に変化させることができる。
【００６３】
なお、上記実施形態では、蛍光体膜形成板４を移動させる場合について説明したが、基板６を移動させるように構成してもよい。
【００６４】
また、蛍光体膜３は、黄色蛍光体膜３ａ，３ａ１、薄肉黄色蛍光体膜３ｂ，３ｂ１、赤混合黄色蛍光体膜３ｃ，３ｃ１により構成する場合について説明したが、本発明はこれら蛍光体膜には限定されず、発光ダイオード装置５の青色光（または紫外線）により他の色光を発光する蛍光体膜に置換してもよい。
【００６５】
さらに、発光ダイオード装置５は、基板６に発光ダイオードチップ５ａを直接実装する場合について説明したが、本発明は、砲弾形発光ダイオードを基板６に実装したものでもよい。
【００６６】
また、移動装置７，７Ａとしてマイクロリニアアクチュエータ８，１０，１４，１５を使用した場合について、説明したが、これに代えてラックとピニオン等を使用してもよい。
【図面の簡単な説明】
【００６７】
【図１】本発明の第１の実施形態に係る発光ダイオード照明装置の平面図。
【図２】図１のＩＩ−ＩＩ線に沿う切断部の端面図。
【図３】図２のＩＩＩ部拡大図。
【図４】本発明の第２の実施形態に係る発光ダイオード照明装置の一部切欠平面図。
【図５】図４で示す発光ダイオード照明装置のＶ−Ｖ線に沿う切断部の一部切欠端面図。
【符号の説明】
【００６８】
１，１Ａ…発光ダイオード照明装置、２…ガラス板、２ａ…透明部、３…蛍光体膜、３ａ，３ａ１…黄色蛍光体膜、３ｂ，３ｂ１…薄肉黄色蛍光体膜、３ｃ，３ｃ１…赤混合黄色蛍光体膜、３ｄ，３ｄ１…透明部、４…蛍光体膜形成板、５…発光ダイオード装置、５ａ…発光ダイオードチップ、６…基板、７，７Ａ…移動装置、８，１０，１４，１５…マイクロリニアアクチュエータ、８ａ，１０ａ，１４ａ，１５ａ…可動部、８ｂ，１０ｂ，１４ｂ，１５ｂ…駆動部、９，１１，１８，１９…ジョイント、１２，１３…ストッパ、１２Ａ，１３Ａ，１６，１７…大形ストッパ。
【図１】
2008300117.tif 000003
【図２】
2008300117.tif 000004
【図３】
2008300117.tif 000005
【図４】
2008300117.tif 000006
【図５】
2008300117.tif 000007